(57)【要約】【課題】複数の録画装置において放送データを分割して録画することが可能となる録画装置を提供する。【解決手段】放送データを録画するために必要な情報である録画情報を取得する録画情報取得部２０３と、録画情報取得部２０３が取得した録画情報に基づいて自装置であるコンピュータ１ａにおいて放送データを録画することが可能な保存領域２０２ａと、保存領域２０２ａの残量を参照する自装置保存領域残量参照部２０９と、自装置保存領域残量参照部２０９が参照した保存領域２０２ａの残量が閾値未満となったときに、ネットワークを介して接続されたコンピュータ１ｂ，１ｃに録画情報取得部２０３が取得した録画情報を転送する録画情報転送部２１３とを備える。これにより、複数の録画装置において放送データを分割して録画することが可能となる。【選択図】図４
2009182820.tif 000002
【特許請求の範囲】
【請求項１】
放送データを録画するために必要な情報である録画情報を取得する録画情報取得手段と、
録画情報取得手段が取得した前記録画情報に基づいて自装置において前記放送データを録画することが可能な自装置保存領域と、
前記自装置保存領域の残量を参照する自装置保存領域残量参照手段と、
前記自装置保存領域残量参照手段が参照した前記自装置保存領域の残量が閾値未満となったときに、通信回線を介して接続された他装置に、前記録画情報取得手段が取得した前記録画情報を転送する録画情報転送手段と
を備えた録画装置。
【請求項２】
前記放送データを録画することが可能な空き領域を有する他装置保存領域を備えた前記他装置を検索する引継先検索手段をさらに備え、
前記録画情報転送手段は、前記引継先検索手段が検索した前記放送データを録画することが可能な空き領域を有する前記他装置保存領域を備えた前記他装置に優先的に前記録画情報を転送する、請求項１に記載の録画装置。
【請求項３】
複数の前記他装置について前記録画情報を転送する優先度を設定する優先度設定手段をさらに備え、
前記録画情報転送手段は、前記優先度設定手段が設定した前記優先度に従って前記録画情報を転送する、請求項１又は２に記載の録画装置。
【請求項４】
録画された前記放送データを再生する再生手段と、
前記自装置の前記自装置保存領域及び前記他装置の前記他装置保存領域のいずれかに録画された前記放送データを取得する再生データ取得手段と、
を備え、
前記再生手段は、前記再生データ取得手段が取得した前記放送データを順次再生する、請求項１〜３のいずれか１項に記載の録画装置。
【請求項５】
前記放送データを予約録画する場合において、
前記引継先検索手段は、予約録画する前記放送データの全てを録画可能な空き領域を有する前記他装置保存領域を備えた前記他装置を検索し、
前記録画情報転送手段は、前記自装置保存領域残量参照手段が参照した前記自装置保存領域の残量が予約録画する前記放送データの全てを録画することが不可能なときは、前記引継先検索手段が検索した予約録画する前記放送データの全てを録画可能な空き領域を有する前記他装置保存領域を備えた前記他装置に前記録画情報を優先的に転送する、請求項１〜４のいずれか１項に記載の録画装置。
【請求項６】
録画情報取得手段が、放送データを録画するために必要な情報である録画情報を取得し、
自装置保存領域残量参照手段が、前記録画情報に基づいて自装置において前記放送データを録画することが可能な自装置保存領域の残量を参照し、
録画情報転送手段が、前記自装置保存領域残量参照手段が参照した前記自装置保存領域の残量が閾値未満となったときに、通信回線を介して接続された他装置に、前記録画情報取得手段が取得した前記録画情報を転送する録画方法。
【請求項７】
引継先検索手段が、前記放送データを録画することが可能な空き領域を有する他装置保存領域を備えた前記他装置を検索し、
録画情報転送手段が、前記引継先検索手段が検索した前記放送データを録画することが可能な空き領域を有する他装置保存領域を備えた前記他装置に優先的に前記録画情報を転送する、請求項６に記載の録画方法。
【請求項８】
前記録画情報転送手段は、複数の前記他装置について前記録画情報を転送する優先度を設定する優先度設定手段が設定した前記優先度に従って前記録画情報を転送する、請求項６又は７に記載の録画方法。
【請求項９】
再生データ取得手段が、前記自装置の前記自装置保存領域及び前記他装置の前記他装置保存領域のいずれかに録画された前記放送データを取得し、
前記再生手段が、前記再生データ取得手段が取得した前記放送データを順次再生する、請求項６〜８のいずれか１項に記載の録画方法。
【請求項１０】
前記放送データを予約録画する場合において、
前記引継先検索手段が、予約録画する前記放送データの全てを録画可能な空き領域を有する前記他装置保存領域を備えた前記他装置を検索し、
前記録画情報転送手段が、前記自装置保存領域残量参照手段が参照した前記自装置保存領域の残量が予約録画する前記放送データの全てを録画することが不可能なときは、前記引継先検索手段が検索した予約録画する前記放送データの全てを録画可能な空き領域を有する前記他装置保存領域を備えた前記他装置に前記録画情報を優先的に転送する、請求項６〜９のいずれか１項に記載の録画方法。
【発明の詳細な説明】
【技術分野】
【０００１】
本発明は録画装置及び録画方法に関し、特に、放送データを複数の装置に分割して録画する録画装置及び録画方法に関するものである。
【背景技術】
【０００２】
パーソナルコンピュータやＨＤＤ（Hard  Disk  Drive）レコーダ等の録画装置において、放送データをＨＤＤ等の記録媒体に予め設定した時刻に予約録画する技術が開発されている。ＨＤＤ等の記録媒体の保存領域は限られているため、例えば、特許文献１には、長時間にわたる放送データを録画する際において、移動元機器（録画装置）が、記録容量不足を検知すると、自装置の放送データの保存領域を空けるために、保持しているコンテンツの中から移動させるコンテンツを決定し、予めユーザにより選定された移動先機器の中からコンテンツの移動を受け入れるのに適した移動先機器を選択し、選択した移動先機器に対して移動時刻の情報を含むダミー録画予約情報を送信して実際の移動コンテンツの録画の準備をさせることにより、より信頼性を高めた状態で選択した移動先機器へのコンテンツの移動を実現させ、より信頼性の高い追記記録を可能とする技術が開示されている。
【特許文献１】特開２００７−２１４８５９号公報
【発明の開示】
【発明が解決しようとする課題】
【０００３】
しかしながら、上記のような録画装置では、一つの録画装置が自装置の放送データの保存領域を空けるためにコンテンツ単位でデータを他の録画装置に追い出すことが可能であるというだけで、当該録画装置が自装置の保存領域を使用し切ってしまった場合、他の録画装置の保存領域が空いていたとしても、当該他装置の保存領域を放送データの録画に使用することはできない。このため、予約録画可能な録画装置が複数台あったとしても、録画予約を行った装置以外の装置では、放送データの録画を行うことはできない。
【０００４】
本発明は、かかる事情に鑑みてなされたものであり、その目的は、複数の録画装置において放送データを分割して録画することが可能となる録画装置を提供することにある。
【課題を解決するための手段】
【０００５】
本発明は、放送データを録画するために必要な情報である録画情報を取得する録画情報取得手段と、録画情報取得手段が取得した録画情報に基づいて自装置において放送データを録画することが可能な自装置保存領域と、自装置保存領域の残量を参照する自装置保存領域残量参照手段と、自装置保存領域残量参照手段が参照した自装置保存領域の残量が閾値未満となったときに、通信回線を介して接続された他装置に、録画情報取得手段が取得した録画情報を転送する録画情報転送手段とを備えた録画装置である。
【０００６】
また、本発明は、録画情報取得手段が、放送データを録画するために必要な情報である録画情報を取得し、自装置保存領域残量参照手段が、録画情報に基づいて自装置において放送データを録画することが可能な自装置保存領域の残量を参照し、録画情報転送手段が、自装置保存領域残量参照手段が参照した自装置保存領域の残量が閾値未満となったときに、通信回線を介して接続された他装置に、録画情報取得手段が取得した録画情報を転送する録画方法である。
【発明の効果】
【０００７】
本発明の録画装置及び録画方法によれば、複数の録画装置において放送データを分割して録画することが可能となる。
【発明を実施するための最良の形態】
【０００８】
以下、図面を参照しつつ本発明に係る録画装置及び録画方法の好適な実施形態としてのコンピュータ（予約録画装置）１ａについて詳細に説明する。
【０００９】
図１に示すノートブック型パーソナルコンピュータであるコンピュータ１ａは、コンピュータ本体３と、コンピュータ本体３に対して開閉自在のディスプレイユニット５とを備えている。ディスプレイユニット５には、ＬＣＤ（Liquid  Crystal  Display）７が映像表示装置として組み込まれており、そのＬＣＤ７の表示画面はディスプレイユニット５のほぼ中央に位置している。
【００１０】
ディスプレイユニット５は、コンピュータ本体３に対して開放位置と閉塞位置との間を回動自在に取り付けられている。コンピュータ本体３は、薄い箱形の筐体を有しており、その上面にはキーボード９、コンピュータ１ａをパワーオン／パワーオフするためのパワーボタン１１、タッチパッド１５、クリックボタン１７及びスピーカ１９が配置されている。
【００１１】
また、コンピュータ１ａは、ＣＤ（Compact  Disk）、ＤＶＤ−Ｒ（Digital  Versatile  Disk  Recordable）、ＤＶＤ−ＲＡＭ（Digital  Versatile  Disk  Random  Access  Memory）等の光メディアに格納されたＤＶＤ−ＶＩＤＥＯ、ＤＶＤ−ＶＲ（Video  Recording）などのフォーマットのオーディオ・ビデオ（ＡＶ）コンテンツを再生することができる。さらに、コンピュータ１ａは、内蔵されたＨＤＤ１１７（図２参照）あるいは光メディアに、ＤＶＤ−ＶＲなどのフォーマットでＡＶコンテンツを書き込むこともできる。コンピュータ本体３の側面には、ＯＤＤ（Optical  Disk  Drive）１１９（図２参照）に対して光メディアを出し入れするためのスロット２１が設けられている。
【００１２】
図２に示すように、このコンピュータ１ａは、ＣＰＵ１０１、ノースブリッジ１０３、メインメモリ１０５、グラフィックスコントローラ１０７、ビデオメモリ（ＶＲＡＭ）１０７ａ、サウスブリッジ１０９、ＢＩＯＳ−ＲＯＭ１１１、サウンドコントローラ１１３、ＨＤＤ１１７、ＯＤＤ１１９、エンベデッドコントローラ／キーボードコントローラＩＣ（ＥＣ／ＫＢＣ）１２１、ネットワークコントローラ１２３、ＴＶチューナ１２５等を備えている。
【００１３】
ＣＰＵ１０１は、コンピュータ１ａの動作を制御するプロセッサであり、ＨＤＤ１１７からメインメモリ１０５にロードされる各種プログラムを実行する。このＣＰＵ１０１によって実行される各種プログラムとしては、オペレーティングシステム、ＴＶ放送等の放送データを予約録画するために必要な情報である録画情報を他の録画装置に転送するための録画引継アプリケーション１３１等が存在する。また、ＣＰＵ１０１は、ＢＩＯＳ−ＲＯＭ１１１に格納されたＢＩＯＳ（Basic  Input  Output  System；ハードウェア制御のためのプログラム）も実行する。
【００１４】
ノースブリッジ１０３は、ＣＰＵ１０１のローカルバスとサウスブリッジ１０９との間を接続するブリッジデバイスである。ノースブリッジ１０３には、メインメモリ１０５をアクセス制御するメモリコントローラも内蔵されている。また、ノースブリッジ１０３はＰＣＩ  ＥＸＰＲＥＳＳ規格のシリアルバスなどを介してグラフィックスコントローラ１０７との通信を実行する機能も有している。
【００１５】
グラフィックスコントローラ１０７は、コンピュータ１のディスプレイモニタとして使用されるＬＣＤ７を制御する表示コントローラである。グラフィックスコントローラ１０７は、ブレンド処理、スケーリング処理、ルーマキー処理等の画像処理機能を有している。このグラフィックスコントローラ１０７によって生成される表示信号は、ＬＣＤ７に送られる。また、表示信号は、コンピュータ本体３に設けられたインタフェースを介して外部のＴＶやＨＤＭＩモニタに送出することもできる。
【００１６】
サウスブリッジ１０９は、ＰＣＩ（Peripheral  Component  Interconnect）バス上の各デバイス及びＬＰＣ（Low  Pin  Count）バス上の各デバイスを制御する。また、サウスブリッジ１０９は、ＨＤＤ１１７、ＯＤＤ１１９を制御するためのＩＤＥ（Integrated  Drive  Electronics）コントローラを内蔵している。更に、サウスブリッジ１０９は、サウンドコントローラ１１３との通信を実行する機能も有している。サウンドコントローラ１１３は音源デバイスであり、再生対象のオーディオデータをスピーカ１９に出力する。
【００１７】
エンベデッドコントローラ／キーボードコントローラＩＣ（ＥＣ／ＫＢＣ）１２１は、電力管理のためのエンベデッドコントローラと、キーボード９、タッチパッド１５、及びクリックボタン１７を制御するためのキーボードコントローラと、が集積された１チップマイクロコンピュータである。タッチパッド１５が操作されると操作信号が生成され、この操作信号に基づいてＬＣＤ７の表示画面上に表示されたカーソルが移動する。また、このＥＣ／ＫＢＣ１２１は、ユーザによるパワーボタン１１の操作に応じてコンピュータ１をパワーオン／パワーオフする機能を有している。
【００１８】
このコンピュータ１ａでは、ネットワーク１３０（図３参照）から受信した放送データを、ネットワークコントローラ１２３を介してＨＤＤ１１７に予約録画することが可能である。さらに、このコンピュータ１ａでは、ＣＰＵ１０１が録画引継アプリケーション１３１を実行することで、放送データの全てを録画するためには自装置のＨＤＤ１１７の保存領域の残量が不足している場合に、ネットワーク１３０に接続された他装置に当該放送データの録画情報を転送することで、複数の録画装置において放送データを分割して録画する機能を有している。
【００１９】
次に、放送データを上記のように複数の録画装置において分割して録画することを可能とするコンピュータ１ａ及び録画引継アプリケーション１３１の構成について図３及び４を参照し説明する。
【００２０】
図３は、本実施形態の予約録画引継システムの構成を示すブロック図である。図３の例では、コンピュータ（予約録画装置）１ａと、コンピュータ１ａと同様の構成を有するコンピュータ（予約録画装置）１ｂとがネットワーク３００を介して接続されている。ネットワーク３００は、無線ＬＡＮ（Local  Area  Network）あるいは専用線によるネットワーク接続である。図３に示すように、本実施形態のコンピュータ１ａ，１ｂは録画引継アプリケーション１３１により動作するソフトウェアの構成として、それぞれ録画情報引継機能部２０１ａ，２０１ｂ及び保存領域（自装置保存領域、他装置保存領域）２０２ａ，２０２ｂを備えている。また、コンピュータ１ａは、再生部２０４を備えている。
【００２１】
録画情報引継機能部２０１ａ，２０１ｂには、ＴＶ放送等の放送データを予約録画するために必要な情報である録画情報３０１として、録画ＩＤ、チャンネル、録画予約開始時刻、録画予約終了時刻、実録画終了時間（実際に保存領域２０２ａ，２０２ｂの容量の関係で録画を終了する時間）、番組タイトル、録画画質、引継元、引継先、装置優先度、ステータス（コンピュータ１ａ，１ｂの動作状態）、及び丸ごと予約優先（放送データを分割せずに録画することを優先して録画情報を他装置に転送する）が設定及び記録されている。録画情報３０１は、放送データをコンピュータ１ａ，１ｂで分割して録画する必要がある場合は、録画情報引継機能部２０１ａ，２０１ｂによってコンピュータ１ａからコンピュータ１ｂに転送される。
【００２２】
保存領域２０２ａ，２０２ｂは、物理的にはＨＤＤ１１７であり、放送データが録画される。
【００２３】
再生部２０４は、保存領域２０２ａ，２０２ｂのいずれかに録画された放送データを再生するためのものである。
【００２４】
図４は、図１のコンピュータにおける録画情報引継機能部のソフトウェアの構成を示す機能ブロック図である。図４に示すように、録画情報引継機能部２０１ａは、録画情報取得部（録画情報取得手段）２０３、必要保存領域算出部２０５、引継先検索部（引継先検索手段）２０７、自装置保存領域残量参照部（自装置保存領域残量参照手段）２０９、優先度設定部（優先度設定手段）２１１、録画情報転送部（録画情報転送手段）２１３、及び再生データ取得部（再生データ取得手段）２１５、再生データ残量参照部（再生データ残量参照手段）２１７を有している。
【００２５】
録画情報取得部２０３は、録画ＩＤ、チャンネル、録画予約開始時刻等の録画情報を、ユーザ入力、放送データ及び他装置からネットワーク３００を介して取得するためのものである。
【００２６】
必要保存領域算出部２０５は、予約録画の際に、録画情報に含まれる録画予約開始時刻、録画予約終了時刻、及び録画画質から、当該放送データの録画に必要な保存領域の大きさを算出するためのものである。
【００２７】
引継先検索部２０７は、ネットワーク３００に接続された他装置から、放送データを録画することが可能な空き領域を有する他装置保存領域を備えた他装置を検索するためのものである。
【００２８】
自装置保存領域残量参照部２０９は、保存領域２０２ａの残量を参照するためのものである。
【００２９】
優先度設定部２１１は、複数の他装置について録画情報を転送する優先度を設定するためのものである。
【００３０】
録画情報転送部２１３は、自装置保存領域残量参照部２０９が参照した保存領域２０２ａの残量が閾値未満となったときに、ネットワーク３００を介して接続された他装置に、録画情報取得分２０３が取得した録画情報を転送するためのものである。
【００３１】
再生データ取得部２１５は、保存領域２０２ａ，２０２ｂのいずれかに録画された放送データ（再生データ）を取得するためのものである。
【００３２】
再生データ残量参照部２１７は、再生データ取得部２１５が取得し、再生部２０４が再生中の放送データの内でまだ再生されていないデータの残量を参照するためのものである。
【００３３】
以下、本実施形態のコンピュータ１ａが複数の録画装置において放送データを分割して録画する動作について説明する。なお、以下の説明では、図７に示すように、ネットワーク３００に、自装置であるコンピュータ１ａと、他装置であるコンピュータ１ｂ，１ｃが接続されている場合を想定して説明する。
【００３４】
（引継機能設定）
本実施形態では、まず、コンピュータ１ａ〜１ｃの引継機能設定を行う。図５は、本実施形態の引継機能設定の手順を示すフロー図である。コンピュータ１ａの引継先検索部２０７は、ネットワーク３００を介して予約録画を引き継ぐことが可能な他の録画装置であるコンピュータ１ｂ，１ｃ及びその他の装置の検索を行う（Ｓ１０１）。
【００３５】
コンピュータ１ａの優先度設定部２１１は、予約録画を引き継ぐ対象となる装置をコンピュータ１ｂ，１ｃ及びその他の装置から選択する（Ｓ１０２）。図７の例のように、引き継ぎ対象となる装置がコンピュータ１ｂ，１ｃと複数ある場合は、優先度設定部２１１は、図３に示すように、どの装置から優先的に録画を引継がせるかを示す優先度を設定する（Ｓ１０３）。設定された優先度の情報は、各コンピュータ１ｂ，１ｃの録画情報引継機能部２０１ｂ，２０１ｃの優先度設定部２１１に保存される（Ｓ１０４）。
【００３６】
（予約録画引継）
以下、本実施形態の優先度に応じた予約録画引継の動作について説明する。図６は本実施形態の予約録画引継の手順を示すフロー図であり、図７は本実施形態の優先度に応じた予約録画引継の動作を示すブロック図である。
【００３７】
図６及び７に示すように、コンピュータ１ａにおいて放送データの予約録画が開始された場合（Ｓ２０１）、自装置保存領域残量参照部２０９は現在時刻の確認を行い（Ｓ２０２）、録画終了時刻である場合は（Ｓ２０３）、放送データの録画を終了する（Ｓ２１０）。
【００３８】
録画終了時刻ではない場合（Ｓ２０３）、自装置保存領域残量参照部２０９は、自装置であるコンピュータ１ａの保存領域２０２ａの残量を参照する（Ｓ２０４）。保存領域２０２ａの残量が予め設定した閾値以上である場合は（Ｓ２０５）、コンピュータ１ａは保存領域２０２ａへの予約録画を続行する（Ｓ２０６）。一方、保存領域２０２ａの残量が予め設定した閾値未満である場合は（Ｓ２０５）、引継先検索部２０７はネットワーク３００に接続された放送データを録画することが可能な空き領域を有する他装置であるコンピュータ１ｂ，１ｃを検索する（Ｓ２０７）。
【００３９】
放送データを録画することが可能な空き領域を有し、予約録画を引継ぐことが可能な他装置が存在している場合は（Ｓ２０８）、録画情報転送部２１３は、優先度設定部２１１に設定された優先度に従って、ネットワーク３００を介して優先度が高い順に録画情報３０１を転送する（Ｓ２０９）。録画情報を転送された他装置であるコンピュータ１ｂ，１ｃは、当該録画情報に従ってそれぞれの保存領域２０２ｂ，２０２ｃに放送データを予約録画する。一方、放送データを録画することが可能な空き領域を有し、予約録画を引継ぐことが可能な他装置が存在していない場合は（Ｓ２０８）、コンピュータ１ａは、録画を中止する（Ｓ２１０）。
【００４０】
（引継再生）
以下、本実施形態の録画された放送データの再生の動作について説明する。図８は本実施形態の録画データの再生の手順を示すフロー図であり、図９は本実施形態の録画データの再生の動作を示すブロック図である。
【００４１】
図８及び９に示すように、自装置であるコンピュータ１ａの再生部２０４は、保存領域２０２ａに録画された放送データの再生を開始する（Ｓ３０１）。再生データ残量参照部２１７は、コンピュータ１ａの再生部２０４が再生している保存領域２０２ａに録画されている放送データの残量を参照し、再生中の放送データの残量が０となったこと、あるいは予め定められた閾値未満である場合は（Ｓ３０２）、引継先検索部２０７は、録画情報取得部２０３から当該放送データに関連した録画情報を確認する（Ｓ３０３）。
【００４２】
録画情報が当該放送データの録画が、コンピュータ１ｂ，１ｃといった他装置に引継がれている場合（Ｓ３０４）、引継先検索部２０７は、ネットワーク３００に接続された当該引継先の装置を検索する（Ｓ３０５）。録画情報転送部２１３は、ネットワーク３００を介してコンピュータ１ｂ，１ｃといった当該引継先の装置に対して録画情報３０１を転送する（Ｓ３０６）。一方、録画情報を転送されたコンピュータ１ｂ，１ｃは、当該録画情報に基づいて、各々の保存領域２０２ｂ，２０２ｃに録画された放送データ（再生データ）３０２を、ネットワーク３００を介して、コンピュータ１ａに順次転送する（Ｓ３０７）。コンピュータ１ａの再生データ取得部２１５は、コンピュータ１ｂ，１ｃから放送データ３０２を取得し、再生部２０４は当該放送データを順次再生する（Ｓ３０７）。この再生動作は、予約録画の引継先がなくなったときに終了する（Ｓ３０８）。
【００４３】
（丸ごと予約優先）
以下、本実施形態の丸ごと予約優先時における動作について説明する。図１０は、本実施形態の丸ごと予約優先時における予約録画引継の手順を示すフロー図であり、図１１は、本実施形態の丸ごと予約優先時における予約録画引継の動作を示すブロック図である。本実施形態では、放送データを複数の録画装置に分割して予約録画することが可能であるが、自装置あるいは他装置において、予約録画した放送データを分割せずに録画することが可能な装置を検索し、放送データを分割せずに録画することが可能である場合は、優先的に放送データを分割せずに録画する。
【００４４】
図１０及び１１に示すように、コンピュータ１ａの録画情報取得部２０３は、録画予約する放送データに冠する録画情報を取得する（Ｓ４０１）。必要保存領域算出部２０５は、録画情報の録画予約開始時刻、録画予約終了時刻、及び録画画質から、必要となる保存領域の大きさを計算する（Ｓ４０２）。
【００４５】
引継先検索部２０７は、録画を引継ぐことが可能な装置であるコンピュータ１ｂ，１ｃから、１予約録画分の放送データを全て分割せずに録画することが可能な容量の保存領域２０２ｂ，２０２ｃを有する装置を検索する（Ｓ４０３）。
【００４６】
１予約録画分の放送データを全て分割せずに録画することが可能な容量の保存領域２０２ｂ，２０２ｃを有する装置がネットワーク３００上に存在している場合は（Ｓ４０４）、コンピュータ１ａの録画情報転送部２１３は当該装置に録画情報３０１を転送する。録画情報３０１を転送されたコンピュータ１ｂあるいは１ｃは、当該録画情報に基づいて、
１予約録画分の放送データを全て分割せずに各々の保存領域２０２ｂあるいは２０２ｃに録画する（Ｓ４０５）。一方、１予約録画分の放送データを全て分割せずに録画することが可能な容量の保存領域２０２ｂ，２０２ｃを有する装置がネットワーク３００上に存在していない場合は（Ｓ４０４）、上述したように、図６に示すＳ２０１〜Ｓ２１０の手順により、各々の装置の残り保存領域の大きさに関わらず、設定された優先度に従って放送データを複数の装置に分割して録画する（Ｓ４０６）。放送データを全ていずれかの装置に録画し終えた場合は、各装置は録画を終了する（Ｓ４０７）。
【００４７】
（手動録画）
本実施形態の予約録画ではない手動録画における動作について説明する。図１２は、本実施形態の手動録画時の録画引継の動作を示すブロック図である。図１２に示すように、予約録画ではない、手動録画時においても、図６に示すＳ２０１〜Ｓ２１０の手順により、各々のコンピュータ１ａ，１ｂ及び１ｃの保存領域２０２ａ〜２０２ｃの容量が閾値未満になり次第、予め設定された優先度に従って録画情報を他の装置に順次転送して、放送データを分割して録画することができる。
【００４８】
本実施形態によれば、放送データを録画するために必要な情報である録画情報を取得する録画情報取得部２０３と、録画情報取得部２０３が取得した録画情報に基づいて自装置であるコンピュータ１ａにおいて放送データを録画することが可能な保存領域２０２ａと、保存領域２０２ａの残量を参照する自装置保存領域残量参照部２０９と、自装置保存領域残量参照部２０９が参照した保存領域２０２ａの残量が閾値未満となったときに、ネットワーク３００を介して接続されたコンピュータ１ｂ，１ｃに録画情報取得部２０３が取得した録画情報を転送する録画情報転送部２１３とを備えるため、複数の録画装置において放送データを分割して録画することが可能となる。
【００４９】
また、本実施形態によれば、放送データを録画することが可能な空き領域を有する保存領域２０２ｂ，２０２ｃを備えた他装置であるコンピュータ１ｂ，１ｃを検索する引継先検索部２０７をさらに備え、録画情報転送部２１３は、引継先検索部２０７が検索した放送データを録画することが可能な空き領域を有する保存領域２０２ｂ，２０２ｃを備えたコンピュータ１ｂ，１ｃに優先的に録画情報を転送するため、ネットワーク３００上において確実に放送データを録画することが他装置に対して、放送データの録画を引継がせることが可能となる。
【００５０】
また、本実施形態によれば、複数の他装置であるコンピュータ１ｂ，１ｃについて録画情報を転送する優先度を設定する優先度設定部２１１をさらに備え、録画情報転送部２１３は、優先度設定部２１１が設定した優先度に従って録画情報を転送するため、所望の他装置に放送データの録画を引継がせることが可能となる。
【００５１】
さらに、本実施形態によれば、録画された放送データを再生する再生部２０４と、自装置であるコンピュータ１ａの保存領域２０２ａ及び他装置であるコンピュータ１ｂ，１ｃの保存領域のいずれかに録画された放送データを取得する再生データ取得部２１５と、を備え、再生部２０４は、再生データ取得部２１５が取得した放送データを順次再生するため、複数の録画装置において分割して録画した放送データを順次再生することが可能となる。
【００５２】
加えて、本実施形態によれば、放送データを予約録画する場合において、引継先検索部２０７は、予約録画する放送データの全てを録画可能な空き領域を有する保存領域２０２ｂ，２０２ｃを備えた他装置であるコンピュータ１ｂ，１ｃを検索し、録画情報転送部２１３は、自装置保存領域残量参照部２０９が参照した保存領域２０２ａの残量が予約録画する放送データの全てを録画することが不可能なときは、引継先検索部２０７が検索した予約録画する放送データの全てを録画可能な空き領域を有する保存領域２０２ｂ，２０２ｃを備えた保存領域２０２ｂ，２０２ｃに録画情報を優先的に転送するため、可能な限り放送データを分割せずに多層地において予約録画することが可能となる。
【００５３】
以上、本発明の実施の形態について説明したが、本発明は、上記実施形態に限定されるものではなく種々の変形が可能である。
【図面の簡単な説明】
【００５４】
【図１】本発明に係る録画装置の一実施形態であるコンピュータを示す斜視図である。
【図２】図１のコンピュータのハードウェアの構成を示すブロック図である。
【図３】本実施形態の予約録画引継システムの構成を示すブロック図である。
【図４】図１のコンピュータにおける録画情報引継機能部のソフトウェアの構成を示す機能ブロック図である。
【図５】本実施形態の引継機能設定の手順を示すフロー図である。
【図６】本実施形態の予約録画引継の手順を示すフロー図である。
【図７】本実施形態の優先度に応じた予約録画引継の動作を示すブロック図である。
【図８】本実施形態の録画データの再生の手順を示すフロー図である。
【図９】本実施形態の録画データの再生の動作を示すブロック図である。
【図１０】本実施形態の丸ごと予約優先時における予約録画引継の手順を示すフロー図である。
【図１１】本実施形態の丸ごと予約優先時における予約録画引継の動作を示すブロック図である。
【図１２】本実施形態の手動録画時の録画引継の動作を示すブロック図である。
【符号の説明】
【００５５】
１ａ，１ｂ，１ｃ…コンピュータ、３…コンピュータ本体、５…ディスプレイユニット、７…ＬＣＤ、９…キーボード、１１…パワーボタン、１５…タッチパッド、１７…クリックボタン、１９…スピーカ、２１…スロット、１０１…ＣＰＵ、１０３…ノースブリッジ、１０５…メインメモリ、１０７…グラフィックスコントローラ、１０７ａ…ＶＲＡＭ、１０９…サウスブリッジ、１１１…ＢＩＯＳ−ＲＯＭ、１１３…サウンドコントローラ、１１７…ＨＤＤ、１１９…ＯＤＤ、１２１…ＥＣ／ＫＢＣ、１２３…ネットワークコントローラ、１２５…ＴＶチューナ、１３１…録画引継アプリケーション、２０１ａ，２０１ｂ，２０１ｃ…録画情報引継機能部、２０２ａ，２０２ｂ，２０２ｃ…保存領域、２０３…録画情報取得部、２０４…再生部、２０５…必要保存領域算出部、２０７…引継先検索部、２０９…自装置保存領域残量参照部、２１１…優先度設定部、２１３…録画情報転送部、２１５…再生データ取得部、２１７…再生データ残量参照部、３００…ネットワーク、３０１…録画情報、３０２…再生データ。
【図１】
2009182820.tif 000003
【図２】
2009182820.tif 000004
【図３】
2009182820.tif 000005
【図４】
2009182820.tif 000006
【図５】
2009182820.tif 000007
【図６】
2009182820.tif 000008
【図７】
2009182820.tif 000009
【図８】
2009182820.tif 000010
【図９】
2009182820.tif 000011
【図１０】
2009182820.tif 000012
【図１１】
2009182820.tif 000013
【図１２】
2009182820.tif 000014